(57)【要約】【課題】電線束の配索精度を維持しながら結束バンドの先端不要部を安全な状態に切断できるようにする。【解決手段】電線Ｗの挿入スペース９を挟んで下端連結部４から上方に延びる一対の支持アーム３ａ、３ｂを備えた電線受部２の支持アーム３ａ、３ｂの内側面に、電線を結束する結束バンドを収容するためのガイド溝５が形成された電線配索治具Ｍであって、片方の支持アーム３ｂが、電線配索時の定位置から結束バンドの締付切断工具の作業スペースＳを確保し得る退避位置へと回動可能とされている。【選択図】図２
2020187851.tif 000002
【特許請求の範囲】
【請求項１】
電線が挿入される電線受部を備え、
前記電線受部は、電線の挿入スペースを挟んで下端連結部から上方に延びる一対の支持アームを有し、
前記支持アームの内側面に、前記挿入スペース内の電線を結束する結束バンドを収容するためのガイド溝が形成され、
前記一対の支持アームの少なくとも一方が、電線配索時の定位置から、前記結束バンドの締付切断工具の作業スペースを確保し得る退避位置へと移動可能とされている、
ことを特徴とする電線配索治具。
【請求項２】
前記支持アームが、前記挿入スペース内の電線の延在方向と交差する方向への移動を規制された状態で上下方向に回動可能に設けられている、
ことを特徴とする請求項１に記載の電線配索治具。
【請求項３】
前記下端連結部に、前記支持アームを立設状態で前記定位置に保持する台座が設けられ、
前記台座及び前記支持アームには、当該台座及び支持アームの合わせ部を密着状態に保持する係合手段が設けられている、
ことを特徴とする請求項１又は２に記載の電線配索治具。
【請求項４】
前記係合手段が、マグネットにより構成されている、
ことを特徴とする請求項３に記載の電線配索治具。
【請求項５】
請求項１乃至４のいずれか１項に記載の電線配索治具を用いて電線を配索しつつ当該電線配索治具上で結束バンドにより電線を結束する電線配索方法であって、
前記電線配索治具を配索作業板上に設置するとともに、前記支持アームを前記定位置に保持して前記電線受部を構成する工程と、
結束バンドを前記支持アームのガイド溝に収容することで、前記電線受部に結束バンドをセットする工程と、
前記電線受部にセットされた前記結束バンドの上で、前記一対の支持アーム間の挿入スペースに電線を挿入し、前記支持アームを用いて電線を所定の形態で配索する工程と、
前記結束バンドのバンド部の先端を当該結束バンドのバンドロック部の挿通孔に挿通し、ループ状に閉じた結束バンドで電線の束を包囲する工程と、
前記支持アームを前記定位置から前記退避位置まで移動させることで、当該支持アームのあった場所に締付切断工具を用いるための作業スペースを確保する工程と、
前記作業スペースに締付切断工具を挿入して、該締付切断工具により、前記結束バンドを締め付け、前記バンドロック部から突出した前記バンド部の不要先端部を切除する工程と、
を備えることを特徴とする電線配索方法。
【発明の詳細な説明】
【技術分野】
【０００１】
本発明は、自動車などのワイヤーハーネスを製造する際に用いる電線配索治具、特に、電線の配索と同時に結束バンドで電線を結束するのに有用な電線配索治具及び当該治具を用いた電線配索方法に関する。
【背景技術】
【０００２】
電線を所定の形態に配索してワイヤーハーネスを製造する場合、Ｕ字状の電線受部を有する電線配索治具が広く用いられている。その際、配索と同時に、配索治具上で結束バンドにより電線を結束することもよく行われている。
【０００３】
特許文献１には、電線の配索と同時に電線の結束を行う電線配索治具及び電線配索方法の従来例が記載されている。以下、図４〜図８を参照して、電線配索治具及び電線配索方法の従来例を簡単に説明する。
【０００４】
図４に示す従来の電線配索治具１００は、図示しない配索作業板（組立図板とも言われる）上に立設される支持軸部１０１の上端にＵ字状の電線受部１０２を有している。Ｕ字状の電線受部１０２は、電線の挿入スペース１０９を挟んで下端連結部１０４から上方に延びる一対の支持アーム１０３、１０３を備えている。支持アーム１０３、１０３から下端連結部１０４の内側面には、挿入スペース１０９内に収容された電線Ｗを結束する結束バンド１２０を収容するためのガイド溝１０５が形成されている。
【０００５】
結束バンド１２０は、帯状に延びるバンド部１２１の基端にバンドロック部１２２を一体に設けたものである。バンド部１２１には歯列１２３が形成され、バンドロック部１２２の挿通孔１２４の内部には、バンド部１２１の歯列１２３の任意の歯と係合する図示しない係止爪が設けられている。結束バンドがバンドクリップ（バンドクランプ）の場合には、バンドロック部１２２に、パネル孔に挿入係止するアンカー部（クリップ）が一体に形成されている。
【０００６】
この電線配索治具１００を用いて電線を配索する場合は、図４（ａ）に示すように、バンドロック部１２２を片方の支持アーム１０３の上端に位置させた状態で、バンド部１２１をガイド溝１０５に収容し、結束バンド１２０をＵ字状の電線受部１０２に沿ってＵ字状にセットする。この状態で、結束バンド１２０の上で一対の支持アーム１０３、１０３間の挿入スペース１０９に電線Ｗを挿入し、支持アーム１０３、１０３を用いて電線Ｗを所定の形態で配索する。
【０００７】
次に電線Ｗを配索したら、図４（ｂ）に示すように、結束バンド１２０のバンド部１２１の先端をバンドロック部１２２の挿通孔１２４に挿通して、ループ状に閉じた結束バンド１２０で電線Ｗの束を包囲する。更に、図４（ｃ）に示すように、バンドロック部１２２から突き出したバンド部１２１の先端を、バンドロック部１２２から引っ張ることでループを小さくするよう締め込む。こうすることで、バンド部１２１の歯列１２３のうちの任意の歯が挿通孔１２４の中の係止爪と係合して、バンド部１２１が抜けないようロックされ、電線Ｗの束が結束バンド１２０によって強固に結束される。その後は、バンドロック部１２２から突出しているバンド部１２１の先端側の部分を不要部としてカッタで切除する。
【０００８】
この電線配索治具１００の場合、図４（ｃ）に示すように、バンド部１２１をバンドロック部１２２に挿通して締め込みロックする際に、作業スペースの関係上、固定状態にある支持アーム１０３の上端位置で締め込み作業をせざるを得ない。そのため、電線ＷがＵ字状の電線受部１０２内で上方に持ち上げられた状態となり、その結果、Ｕ字状の電線受部１０２の内底部で配索した電線束の配索精度が低下する問題がある。
【０００９】
また、電線受部１０２がＵ字形のままであると、結束バンド１２０の締付・切断時に、締付切断工具の先端が電線配索治具の支持アーム１０３に当たり、適正な締め付けができないのみならず、バンドロック部１２２からのバンド部１２１の突出量を小さくする位置でバンド部１２１を切断することが難しい。
【００１０】
また、図５〜図８に示す例で用いられる電線配索治具２００は、図示しない配索作業板（組立図板とも言われる）上に立設される支持軸部２０１の上端にＵ字状の電線受部２０２を有している。図５に示すように、Ｕ字状の電線受部２０２は、電線の挿入スペース２０９を挟んで下端連結部２０４から上方に延びる一対の支持アーム２０３ａ、２０３ｂを備えている。支持アーム２０３ａ、２０３ｂから下端連結部２０４の内側面には、挿入スペース２０９内に収容された電線Ｗを結束するバンドクリップ（結束バンド）２２０を収容するためのガイド溝２０５が形成されている。
【００１１】
バンドクリップ２２０は、バンド部２２１の基端にバンドロック部２２２を一体に設け、バンドロック部２２２の外面にアンカー部（クリップ）２２５を一体に設けたものである。バンド部２２１には歯列２２３が形成され、バンドロック部２２２の挿通孔２２４の内部には、バンド部２２１の歯列２２３の任意の歯と係合する図示しない係止爪が設けられている。アンカー部２２５は、バンドロック部２２２の外面に突設されており、車体パネル等のパネル孔に挿入係止される。
【００１２】
電線受部２０２の下端連結部２０４の上面には、バンドクリップ２２０のバンドロック部２２２を保持する凹部２０７が設けられ、凹部２０７の内底面に、バンドクリップ２２０のアンカー部２２５を収容する穴部２０８が設けられている。また、一方の支持アーム２０３ｂの基端部から下端連結部２０４にかけて、バンド引き抜き孔２１０が設けられている。
【００１３】
電線配索治具２００を用いて電線を配索する場合は、図５に示すように、バンドロック部２２２を電線受部２０２の凹部２０７に位置決めし、バンド部２２１を一方の支持アーム２０３ｂのガイド溝２０５に収容する。この状態で、図６に示すように、一対の支持アーム２０３ａ、２０３ｂの間の挿入スペース２０９に電線Ｗの幹線Ｗ１を挿入し、支持アーム２０３ａを用いて電線Ｗの分岐線Ｗ２を所定の形態で配索する。
【００１４】
次に、図７中に矢印Ｒで示すように、一方の支持アーム２０３ｂのガイド溝２０５により案内したバンドクリップ２２０のバンド部２２１の先端を、反対側の他方の支持アーム２０３ａのガイド溝２０５に向けて延ばし、ループ状に丸めたバンド部２２１で電線Ｗの束を包囲する。そして、バンド部２２１の先端を他方の支持アーム２０３ａのガイド溝２０５の案内に従って電線Ｗの下側に潜らせ、バンドロック部２２２の挿通孔２２４に挿通する。
【００１５】
その後、図８に示すように、バンドロック部２２２の挿通孔１２４を挿通して外に突き抜けたバンド部２２１の先端を、バンド引き抜き孔２１０から工具３００を用いて引っ張る。そうすると、ループが小さくなるようにバンド部２２１が締め込まれて、バンド部２２１の歯列２２３のうちの任意の歯が挿通孔２２４の中の係止爪と係合する。これにより、バンド部２２１が抜けないようロックされて、電線Ｗの束がバンドクリップ２２０によって結束される。その後、バンドロック部２２２から突出しているバンド部２２１の先端不要部を工具（バンドカッタ）３００で切除する。
【００１６】
ところで、バンド部２２１の先端不要部は、工具（バンドカッタ）３００により切断除去されるが、切断除去したとしても、少なくともバンド引き抜き孔２１０に挿通している部分だけ、切断端部がバンドロック部２２２より突出して残ることになる。
【００１７】
切断端部は鋭利な縁を有するので、突出量が多いと、ワイヤハーネスの運搬時や取り扱い時に周辺部品等と干渉し、周辺部品等を傷つける可能性がある。したがって、切断端部の突出量は少ない方が望ましい。しかし、電線配索治具２００では、バンド引き抜き孔２１０を通して工具３００により、バンドロック部２２２から突出したバンド部２２１の先端不要部を切断するため、切断端部の突出量が多くなりがちとなる問題がある。
【先行技術文献】
【特許文献】
【００１８】
【特許文献１】特開２０００−２８５７５４号公報
【発明の概要】
【発明が解決しようとする課題】
【００１９】
上述のように、従来の電線配索治具では、電線の配索精度を維持しながら、結束バンドの先端不要部を安全な状態に切断することが困難であった。
【００２０】
本発明は、上述した事情に鑑みてなされたものであり、その目的は、電線束の配索精度を維持しながら、結束バンドの先端不要部を安全な状態に切断することのできる電線配索治具及び当該治具を用いた電線配索方法を提供することにある。
【課題を解決するための手段】
【００２１】
前述した目的を達成するために、本発明に係る電線配索治具及び電線配索方法は、下記（１）〜（５）を特徴としている。
（１）  電線が挿入される電線受部を備え、
前記電線受部は、電線の挿入スペースを挟んで下端連結部から上方に延びる一対の支持アームを有し、
前記支持アームの内側面に、前記挿入スペース内の電線を結束する結束バンドを収容するためのガイド溝が形成され、
前記一対の支持アームの少なくとも一方が、電線配索時の定位置から、前記結束バンドの締付切断工具の作業スペースを確保し得る退避位置へと移動可能とされている、
ことを特徴とする電線配索治具。
【００２２】
（２）  前記支持アームが、前記挿入スペース内の電線の延在方向と交差する方向への移動を規制された状態で上下方向に回動可能に設けられている、
ことを特徴とする上記（１）に記載の電線配索治具。
【００２３】
（３）  前記下端連結部に、前記支持アームを立設状態で前記定位置に保持する台座が設けられ、
前記台座及び前記支持アームには、当該台座及び支持アームの合わせ部を密着状態に保持する係合手段が設けられている、
ことを特徴とする上記（１）または（２）に記載の電線配索治具。
【００２４】
（４）  前記係合手段が、マグネットにより構成されている、
ことを特徴とする上記（３）に記載の電線配索治具。
【００２５】
（５）  上記（１）〜（４）のいずれかに記載の電線配索治具を用いて電線を配索しつつ当該電線配索治具上で結束バンドにより電線を結束する電線配索方法であって、
前記電線配索治具を配索作業板上に設置するとともに、前記支持アームを前記定位置に保持して前記電線受部を構成する工程と、
結束バンドを前記支持アームのガイド溝に収容することで、前記電線受部に結束バンドをセットする工程と、
前記電線受部にセットされた前記結束バンドの上で、前記一対の支持アーム間の挿入スペースに電線を挿入し、前記支持アームを用いて電線を所定の形態で配索する工程と、
前記結束バンドのバンド部の先端を当該結束バンドのバンドロック部の挿通孔に挿通し、ループ状に閉じた結束バンドで電線の束を包囲する工程と、
前記支持アームを前記定位置から前記退避位置まで移動させることで、当該支持アームのあった場所に締付切断工具を用いるための作業スペースを確保する工程と、
前記作業スペースに締付切断工具を挿入して、該締付切断工具により、前記結束バンドを締め付け、前記バンドロック部から突出した前記バンド部の不要先端部を切除する工程と、
を備えることを特徴とする電線配索方法。
【００２６】
上記（１）の構成の電線配索治具によれば、電線配索時には、電線受部を例えばＵ字などの通常の形態で使用することができるので、配索精度を保ちながら配索作業を通常のように行うことができる。また、配索後は、移動可能とされた支持アームを、電線配索時の定位置から、結束バンドの締付切断工具の作業スペースを確保し得る退避位置へと移動することにより、無理なく工具をバンドロック部に近づけて作業することができる。したがって、結束バンドの先端不要部を、突出量を最小にしながら切断することができ、安全な切断端部を得ることができる。また、支持アームが退避して作業スペースが確保されることにより、電線束を配索位置から動かさずに、工具によって結束バンドを切断でき、切断に伴う配索精度の低下を招かない。
【００２７】
上記（２）の構成の電線配索治具によれば、移動可能とされた支持アームを上下方向に回動させることにより、当該支持アームを配索時の定位置と配索後の退避位置とに移動することができる。その際、当該支持アームが、電線の延在方向と交差する方向への移動を規制された状態で上下方向に回動するので、移動する支持アームと電線の干渉を避けることができる。
【００２８】
上記（３）の構成の電線配索治具によれば、移動可能とされた支持アームを配索時の定位置に移動した際に、台座と支持アームの合わせ部を係合手段によって密着した状態に保っておくことができる。したがって、合わせ部に隙間が生じないようにすることができ、電線に力が加わっても、合わせ部に電線が噛み込むことがなく、配索作業をスムーズに行うことができる。
【００２９】
上記（４）の構成の電線配索治具によれば、マグネットの吸引力で台座と支持アームを密着状態に保つので、密着状態の維持を効果的に行うことができるとともに、構造が簡単であり、係合及び係合解除が容易にできる。
【００３０】
上記（５）の構成の電線配索方法によれば、電線配索時には、電線受部を例えばＵ字などの通常の形態で使用して配索するので、配索精度を保ちながら配索作業を通常のように行うことができる。また、配索後は、移動可能とされた支持アームを、電線配索時の定位置から、結束バンドの締付切断工具の作業スペースを確保し得る退避位置へと移動することにより、無理なく工具をバンドロック部に近づけて作業することができる。したがって、結束バンドの先端不要部を、突出量を最小にしながら切断することができ、安全な切断端部を得ることができる。また、支持アームが退避して作業スペースが確保されることにより、電線束を配索位置から動かさずに、工具によって結束バンドを切断でき、切断に伴う配索精度の低下を招かない。
【発明の効果】
【００３１】
本発明によれば、電線束の配索精度を維持しながら、結束バンドの先端不要部を安全な状態に切断することができる。
【００３２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００３３】
【図１】図１は、本発明の実施形態に係る電線配索治具の構成を示す図で、図１（ａ）は電線配索治具の構成を示す斜視図、図１（ｂ）は電線配索時のＵ字状の電線受部の状態を示す概略正面図、図１（ｃ）は電線配索後に片方の支持アームを退避位置に移動させた状態を示す概略正面図である。
【図２】図２は、本発明の実施形態に係る電線配索治具を用いて配索作業を行う際の工程説明図で、図２（ａ）は電線配索時の状態を示す概略正面図、図２（ｂ）はループ状に丸めた結束バンドで電線束を包囲した状態を示す概略正面図、図２（ｃ）は電線配索後に片方の支持アームを退避位置に移動させることで確保された作業スペースに締付切断工具を挿入して結束バンドの先端不要部を切断している状態を示す概略正面図である。
【図３】図３は、本発明の実施形態に係る電線配索治具を用いて配索作業を行っている状態を示す上方から見た概略平面図である。
【図４】図４は、従来の電線配索治具を用いた配索作業の様子を示す図で、図４（ａ）は電線配索時の状態を示す斜視図、図４（ｂ）はループ状に丸めた結束バンドで電線束を包囲した状態を示す斜視図、図４（ｃ）は更に結束バンドを締め付けて電線束を結束した状態を示す斜視図である。
【図５】図５は、従来の別の電線配索治具の構成を示す斜視図である。
【図６】図６は、図５の電線配索治具で電線配索作業を行っている状態を示す斜視図である。
【図７】図７は、図５の電線配索治具で電線配索後にループ状に丸めた結束バンドで電線束を包囲した状態を示す正面図である。
【図８】図８は、バンド引き抜き孔から引き出したバンド部の先端を工具により更に引っ張って締め付けを強めている状態を示す正面図である。
【発明を実施するための形態】
【００３４】
本発明に関する具体的な実施形態について、各図を参照しながら以下に説明する。
【００３５】
図１は、本実施形態に係る電線配索治具Ｍの構成を示す図で、図１（ａ）は電線配索治具Ｍの構成を示す斜視図、図１（ｂ）は電線配索時のＵ字状の電線受部２の状態を示す概略正面図、図１（ｃ）は電線配索後に片方の支持アーム３ｂを退避位置に移動させた状態を示す概略正面図である。
【００３６】
図１（ａ）〜（ｃ）に示すように、本実施形態の電線配索治具Ｍは、図示しない配索作業板（組立図板とも言われる）上に立設される支持軸部１と、支持軸部１の上端に固定されたＵ字状の電線受部２とを有している。Ｕ字状の電線受部２は、電線の挿入スペース９を挟んで下端連結部４から上方に延びる一対の支持アーム３ａ、３ｂを備えている。支持アーム３ａ、３ｂから下端連結部４の内側面には、挿入スペース９内に収容された電線Ｗを結束する結束バンド（後述）を収容するためのガイド溝５が形成されている。
【００３７】
片方の支持アーム３ｂは、下端連結部４から分割されており、分割支持アーム１３として、電線配索時の定位置から、図１（ｃ）に示すように、結束バンドの締付切断工具の作業スペースＳを確保し得る退避位置へと移動可能とされている。分割支持アーム１３の下端連結部４に対する分割位置１５は、分割支持アーム１３が電線配索時の定位置から移動しても、束にした電線Ｗが脱落しない位置、つまり、下端連結部４にＵ字状の湾曲形状の一部が残るような位置に設定されている。具体的には、図１（ｂ）に示すように、電線受部２の内周面の最下位置から分割位置１５までの高さをＨ、電線束の径をＤとすると、
Ｄ／２  ≦  Ｈ  ＜  Ｄ
を満たすようにＨを設定するのが望ましい。もちろん、この範囲外であっても、作業に支障のない位置であれば構わない。
【００３８】
分割支持アーム１３は、回動アーム１０に一体的に設けられている。回動アーム１０は、側面視Ｌ字形となっており、Ｌ字の一方の直線部として分割支持アーム１３が設けられ、他方の直線部として基端側アーム１２が設けられている。下端連結部４には、分割支持アーム１３の下端が載る台座７が設けられており、その台座７の外側面にはブラケット５０が設けられている。ブラケット５０は、回動アーム１０を支持するようになっており、挿入スペース９に収容される電線の延在方向に沿う方向に延出している。すなわち、ブラケット５０は、電線受部２の正面方向に延出している。
【００３９】
回動アーム１０は、基端側アーム１２の先端部を回動軸１１を介してブラケット５０に連結することにより、ブラケット５０に回動可能に支持されている。回動方向は、挿入スペース９に収容される電線の延在方向を含む面内の上下方向である。すなわち、回動アーム１０に設けられた分割支持アーム１３は、図１（ａ）中に実線で示す退避位置と二点鎖線で示す電線配索時の定位置との間で、矢印Ａ、Ｂ方向に回動自在に設けられている。したがって、分割支持アーム１３は、挿入スペース９内の電線の延在方向と交差する方向への移動を規制された状態で上下方向に回動する。回動軸１１は、基端側アーム１２とブラケット５０に形成した孔にピンを挿入して構成してもよいし、基端側アーム１２とブラケット５０に形成した凹部と凸部の嵌合構造によって構成してもよい。
【００４０】
回動アーム１０の曲がり部、つまり、基端側アーム１２と分割支持アーム１３の連結部の外側角部は、下端連結部４の台座７に嵌まるように切り欠かれている。そして、分割支持アーム１３の下端面１７が、合わせ面として台座７の上面（合わせ面）に載るようになっており、それらの合わせ面に、係合手段としてのマグネット８、１８が設けられている。こられのマグネット８、１８は、分割支持アーム１３が定位置に移動した際に、台座７と分割支持アーム１３の合わせ面を密着状態に保持する役割を果たす。一対のマグネット８、１８の一方を、鉄などの磁性体で置き換えてもよいし、磁性体として合わせ面の一方に磁性体プレートを貼り付けてもよい。つまり、係合手段として、台座７と分割支持アーム１３の一方に、他方を吸着するマグネットが設けられていればよい。このようにマグネット８、１８で吸着させると、台座７と分割支持アーム１３の合わせ面に隙間を生じないようにすることができる。そのため、台座７と分割支持アーム１３の合わせ部に配索電線が張力等で噛み込むことを防止できる。
【００４１】
次に、本実施形態の電線配索治具Ｍを用いた電線配索方法を図２を参照して説明する。
図２は、本実施形態の電線配索治具Ｍを用いて配索作業を行う際の工程説明図で、図２（ａ）は電線配索時の状態を示す概略正面図、図２（ｂ）はループ状に丸めた結束バンド２０で電線束を包囲した状態を示す概略正面図、図２（ｃ）は電線配索後に分割支持アーム１３を退避位置に移動させることで確保された作業スペースＳに締付切断工具３００を挿入して結束バンド２０の先端不要部を切断している状態を示す概略正面図である。
【００４２】
まず、結束バンド２０について先に説明する。
図２（ａ）に示すように、結束バンド２０は、一般に可撓性を有する樹脂の一体成形品として構成されており、帯状に延びる柔軟なバンド部２１と、該バンド部２１の基端に設けられた直方体形状のバンドロック部２２とを有している。バンド部２１の片面には、図示しない歯列が形成されている。バンドロック部２２には、バンド部２１を先端側から挿通させる挿通孔２４が設けられており、挿通孔２４の内部には、図示しない係止爪が設けられている。
【００４３】
そして、バンド部２１を先端側からバンドロック部２２の挿通孔２４に挿通してループを作ることにより、係止爪がバンド部の歯列の任意の歯と係合し、これにより、バンド部が抜け止めロックされるようになっている。したがって、バンド部２１のループが小さくなるように、バンドロック部２２から突き出したバンド部２１の先端側をバンドロック部２２から引っ張ることにより、ループで包囲した電線束を締め付けつつ結束することができる。
【００４４】
なお、結束バンドがバンドクリップ（バンドクランプ）である場合には、バンドロック部２２に、パネル孔に挿入係止するアンカー部（クリップ）が一体に形成されている。
【００４５】
本実施形態の電線配索治具Ｍを用いて、電線を配索しつつ、当該電線配索治具Ｍ上で結束バンド２０により電線を結束する場合は、次の工程順に作業を進める。
【００４６】
（１）まず、図２（ａ）に示すように、電線配索治具Ｍを配索作業板（図示略）上に設置するとともに、分割支持アーム１３を定位置に保持してＵ字状の電線受部２を構成する。この際、マグネット８、１８の働きにより、台座７に分割支持アーム１３が密着状態で載ることにより、完全なＵ字状の電線受部２が形成される。
（２）次に、結束バンド２０を支持アーム３ａ、３ｂのガイド溝５に収容することで、Ｕ字状の電線受部２に結束バンド２０をＵ字状にセットする。
（３）次に、結束バンド２０の上で、一対の支持アーム３ａ、３ｂ間の挿入スペース９に電線Ｗを挿入し、支持アーム３ａ、３ｂを用いて電線Ｗを所定の形態で配索する。
（４）次に、図２（ｂ）に示すように、結束バンド２０のバンド部２１の先端をバンドロック部２２の挿通孔２４に挿通し、ループ状に閉じた結束バンド２０で電線Ｗの束を包囲する。
（５）次に、図２（ｃ）に示すように、分割支持アーム１３（３ｂ）を電線配索時の定位置から退避位置まで回動させることで、当該分割支持アーム１３（３ｂ）のあった場所に締付切断工具３００を用いるための作業スペースＳを確保する。
（６）そして、その作業スペースＳに、例えばバンドガンなどの締付切断工具３００を挿入して、該工具３００により、結束バンド２０を締め付け、バンドロック部２２から突出したバンド部２１の不要先端部を切除する。この際、工具３００を結束バンド２０のバンドロック部２２に当たる位置まで近づけてバンド部２１の先端不要部を切断除去することができる。そのため、バンドロック部２２からのバンド部２１の先端突出量を最小にすることができる。
【００４７】
以上のように、本実施形態に係る電線配索治具Ｍ及び電線配索方法によれば、電線配索時には、Ｕ字状の電線受部２を通常のＵ字の形態で使用することができるので、配索精度を保ちながら配索作業を通常のように行うことができる。また、配索後は、移動可能とされた支持アーム３ｂ（分割支持アーム１３）を、電線配索時の定位置から、結束バンド２０の締付切断工具３００の作業スペースＳを確保し得る退避位置へと移動することにより、無理なく工具３００をバンドロック部２２に近づけて作業することができる。したがって、結束バンド２０の先端不要部を、突出量を最小にしながら切断することができ、安全な切断端部を得ることができる。また、支持アーム３ｂ（分割支持アーム１３）が退避して作業スペースＳが確保されることにより、電線Ｗの束を配索位置から動かさずに、工具３００によって結束バンド２０を切断でき、切断に伴う配索精度の低下を招かない。
【００４８】
また、本実施形態に係る電線配索治具Ｍ及び電線配索方法によれば、移動可能とされた支持アーム３ｂ（分割支持アーム１３）を上下方向に回動させることにより、当該支持アーム３ｂ（１３）を配索時の定位置と配索後の退避位置とに移動することができる。その際、当該支持アーム３ｂ（１３）が、電線Ｗの延在方向と交差する方向への移動を規制された状態で上下方向に回動するので、移動する支持アーム３ｂ（１３）と電線Ｗの干渉を避けることができる。
【００４９】
また、本実施形態に係る電線配索治具Ｍ及び電線配索方法によれば、移動可能とされた支持アームを配索時の定位置に移動した際に、台座と支持アームの合わせ部を係合手段（マグネット８、１８）によって密着した状態に保っておくことができる。したがって、合わせ部に隙間が生じなくなることにより、電線Ｗに力が加わっても、合わせ部に電線Ｗが噛み込むことがなく、配索作業をスムーズに行うことができる。特に、マグネット８、１８の吸引力で台座７と分割支持アーム１３を密着状態に保つので、密着状態の維持を効果的に行うことができるとともに、構造が簡単であり、係合及び係合解除が容易にできる。
【００５０】
図３は、実施形態の電線配索治具Ｍを用いて配索作業を行っている状態を示す上方から見た概略平面図である。
ここで組み立てるワイヤーハーネスは、複数の電線Ｗと、電線Ｗの端部に接続された複数のコネクタＣとから構成されている。複数の電線Ｗは、電線配索治具ＭのＵ字状の電線受部２に保持され、複数のコネクタＣは図示しないコネクタ固定治具にそれぞれ保持されることになる。
【００５１】
ここで、上述した本発明の実施形態に係る電線配索治具及び電線配索方法の特徴をそれぞれ以下［１］〜［５］に簡潔に纏めて列記する。
［１］  電線（Ｗ）が挿入される電線受部（２）を備え、
前記電線受部（２）は、電線（Ｗ）の挿入スペース（９）を挟んで下端連結部（４）から上方に延びる一対の支持アーム（３ａ、３ｂ）を有し、
前記支持アーム（３ａ、３ｂ）の内側面に、前記挿入スペース（９）内の電線（Ｗ）を結束する結束バンド（２０）を収容するためのガイド溝（５）が形成され、
前記一対の支持アーム（３ａ、３ｂ）の少なくとも一方が、電線配索時の定位置から、前記結束バンド（２０）の締付切断工具（３００）の作業スペース（Ｓ）を確保し得る退避位置へと移動可能とされている、
ことを特徴とする電線配索治具（Ｍ）。
【００５２】
［２］  前記支持アーム（３ｂ、１３）が、前記挿入スペース（９）内の電線（Ｗ）の延在方向と交差する方向への移動を規制された状態で上下方向に回動可能に設けられている、
ことを特徴とする上記［１］に記載の電線配索治具（Ｍ）。
【００５３】
［３］  前記下端連結部（４）に、前記支持アーム（３ｂ、１３）を立設状態で前記定位置に保持する台座（７）が設けられ、
前記台座（７）及び前記支持アーム（３ｂ、１３）には、当該台座（７）及び支持アーム（３ｂ、１３）の合わせ部を密着状態に保持する係合手段（８、１８）が設けられている、
ことを特徴とする上記［１］または［２］に記載の電線配索治具（Ｍ）。
【００５４】
［４］  前記係合手段が、マグネット（８、１８）により構成されている、
ことを特徴とする上記［３］に記載の電線配索治具（Ｍ）。
【００５５】
［５］  上記［１］〜［４］のいずれかに記載の電線配索治具（Ｍ）を用いて電線（Ｗ）を配索しつつ当該電線配索治具（Ｍ）上で結束バンド（２０）により電線（Ｗ）を結束する電線配索方法であって、
前記電線配索治具（Ｍ）を配索作業板上に設置するとともに、前記支持アーム（３ｂ、１３）を前記定位置に保持して前記電線受部（２）を構成する工程と、
結束バンド（２０）を前記支持アームのガイド溝に収容することで、前記電線受部（２）に結束バンド（２０）をセットする工程と、
前記電線受部（２）にセットされた前記結束バンド（２０）の上で、前記一対の支持アーム（３ａ、３ｂ）間の挿入スペース（９）に電線（Ｗ）を挿入し、前記支持アーム（３ａ、３ｂ）を用いて電線（Ｗ）を所定の形態で配索する工程と、
前記結束バンド（２０）のバンド部（２１）の先端を当該結束バンド（２０）のバンドロック部（２２）の挿通孔（２４）に挿通し、ループ状に閉じた結束バンド（２０）で電線（Ｗ）の束を包囲する工程と、
前記支持アーム（３ｂ、１３）を前記定位置から前記退避位置まで移動させることで、当該支持アーム（３ｂ、１３）のあった場所に締付切断工具（３００）を用いるための作業スペースを確保する工程と、
前記作業スペース（Ｓ）に締付切断工具（３００）を挿入して、該締付切断工具（３００）により、前記結束バンド（２０）を締め付け、前記バンドロック部（２２）から突出した前記バンド部（２１）の不要先端部を切除する工程と、
を備えることを特徴とする電線配索方法。
【符号の説明】
【００５６】
２  電線受部
３ａ、３ｂ  支持アーム
４  下端連結部
５  ガイド溝
７  台座
８，１８  マグネット（係合手段）
９  挿入スペース
１１  回動軸
１２  基端側アーム
１３  分割支持アーム
１５  分割位置
２０  結束バンド
２１  バンド部
２２  バンドロック部
２４  挿通孔
３００  締付切断工具
Ｍ  電線配索治具
Ｗ  電線
Ｓ  作業スペース
【図１】
2020187851.tif 000003
【図２】
2020187851.tif 000004
【図３】
2020187851.tif 000005
【図４】
2020187851.tif 000006
【図５】
2020187851.tif 000007
【図６】
2020187851.tif 000008
【図７】
2020187851.tif 000009
【図８】
2020187851.tif 000010